(57)【要約】【課題】本発明は、体積がより小さく且つ帯域幅が広いアンテナモジュールを提供することを目的とする。【解決手段】本発明に係るアンテナモジュールは、筐状体の回路アンテナと、前記回路アンテナにより囲まれる状態で前記回路アンテナと互いに連接するダイポールアンテナと、それぞれ前記回路アンテナに連接されるフィードイン端及び接地端と、を備える。【選択図】図１
2011250396.tif 000002
【特許請求の範囲】
【請求項１】
筐状体の回路アンテナと、
前記回路アンテナにより囲まれる状態で前記回路アンテナと互いに連接するダイポールアンテナと、
それぞれ前記回路アンテナに連接されるフィードイン端及び接地端と、
を備えることを特徴とするアンテナモジュール。
【請求項２】
前記回路アンテナと前記ダイポールアンテナとの間に、２つのスロットが形成されていることを特徴とする請求項１に記載のアンテナモジュール。
【請求項３】
各スロットが、「コ」字状を呈することを特徴とする請求項２に記載のアンテナモジュール。
【請求項４】
前記回路アンテナが、開口を有する矩形の筐状体であることを特徴とする請求項１に記載のアンテナモジュール。
【請求項５】
前記回路アンテナが、第一輻射段、前記第一輻射段に間隔をあけて平行する第二輻射段及び２つの連接段を備え、
各連接段が、前記第一輻射段及び前記第二輻射段の末端にそれぞれ垂直に連接されて前記筐状の回路アンテナを形成し、
前記開口が、前記第一輻射段の中間部位に設けられていることを特徴とする請求項４に記載のアンテナモジュール。
【請求項６】
前記ダイポールアンテナが、同一直線上に位置する第一輻射アーム、第二輻射アーム及び２つの連接端を備え、
各連接端の一端が、前記第一輻射アーム或いは前記第二輻射アームに垂直に連接され、  各連接端の他端が、前記回路アンテナの第二輻射段に垂直に連接され、
前記第一輻射アーム及び前記第二輻射アームの各々と前記回路アンテナとの間に、スロットが設けられることを特徴とする請求項５に記載のアンテナモジュール。
【請求項７】
前記第一輻射アーム及び前記第二輻射アームの間に、前記開口に連通するスリットが形成されていることを特徴とする請求項５に記載のアンテナモジュール。
【請求項８】
前記アンテナモジュールの動作周波バンドが、８２４ＭＨｚ〜８９４ＭＨｚ及び１７１０ＭＨｚ〜２１７０ＭＨｚであることを特徴とする請求項１に記載のアンテナモジュール。
【請求項９】
ケース体、回路基板、キャリアー体及びアンテナモジュールを備え、前記回路基板及び前記キャリアー体が前記ケース体に順次設けられ、前記アンテナモジュールが前記キャリアー体に搭載され且つ前記回路基板に電気接続される無線通信装置において、
前記アンテナモジュールが、筐状体の回路アンテナと、前記回路アンテナにより囲まれる状態で前記回路アンテナと互いに連接するダイポールアンテナと、それぞれ前記回路アンテナに連接されるフィードイン端及び接地端と、を備えることを特徴とする無線通信装置。
【発明の詳細な説明】
【技術分野】
【０００１】
本発明は、アンテナモジュールに関し、特にブロードバンドアンテナモジュール及びこれを用いる無線通信装置に関するものである。
【背景技術】
【０００２】
無線通信技術及び情報処理技術の発展に伴って、移動電話、個人携帯情報端末（ＰＤＡ）等のような携帯式無線通信装置は、日常生活で広範に使用されている。これらの無線通信装置において、無線電波を送受信することにより無線データ信号を伝送又は交換するアンテナモジュールは、最も重要な部品である。
【０００３】
ところで、近年では、各種通信システム及びその応用製品の出現に伴って、アンテナモジュールの設計方向も多くの周波数バンドを包含できるブロードバンドアンテナに発展してきている。一方、無線通信装置の小型化、軽量化及び薄型化の発展傾向によって、アンテナモジュールのブロードバンド特性を確保すると共に、そのサイズを小さくするのが難題になっている。
【発明の概要】
【発明が解決しようとする課題】
【０００４】
以上の問題点に鑑みて、本発明は、体積がより小さく且つ帯域幅が広いアンテナモジュールを提供することを目的とする。
【課題を解決するための手段】
【０００５】
前記問題点を解決するために、本発明に係るアンテナモジュールは、筐状体の回路アンテナと、前記回路アンテナにより囲まれる状態で前記回路アンテナと互いに連接するダイポールアンテナと、それぞれ前記回路アンテナに連接されるフィードイン端及び接地端と、を備える。
【０００６】
前記問題点を解決するために、本発明に係る無線通信装置は、ケース体、回路基板、キャリアー体及びアンテナモジュールを備える。前記回路基板及び前記キャリアー体が前記ケース体に順次に設けられ、前記アンテナモジュールが前記キャリアー体に搭載され且つ前記回路基板に電気接続される。前記アンテナモジュールは、筐状体の回路アンテナと、前記回路アンテナにより囲まれる状態で前記回路アンテナと互いに連接するダイポールアンテナと、それぞれ前記回路アンテナに連接されるフィードイン端及び接地端と、を備える。
【発明の効果】
【０００７】
従来の技術と比べて、本発明のアンテナモジュールのダイポールアンテナが回路アンテナ内に設けられるため、前記アンテナモジュールの全体構造がよくまとめられて、小型化される。また、前記回路アンテナと前記ダイポールアンテナとの結合により、前記アンテナモジュールは、ブローバンドの効果を奏し、多くの通信システムの周波数バンドを包含できる。
【図面の簡単な説明】
【０００８】
【図１】本発明に係る無線通信装置の分解図である。
【図２】本発明に係る無線通信装置の組立て図である。
【図３】本発明に係るアンテナモジュールのスケールパラメーターを示す図である。
【図４】本発明に係るアンテナモジュールの第一輻射アームと第二輻射アームとの長さが調節される時に対応するリターンロスを示す図である。
【図５】本発明に係るアンテナモジュールの第一輻射段の長さが調節される時に対応するリターンロスを示す図である。
【図６】本発明に係るアンテナモジュールのスリットの幅が調節される時に対応するリターンロスを示す図である。
【発明を実施するための形態】
【０００９】
図１及び図２に示すように、本発明の実施形態に係る無線通信装置１００は、ケース体１０、回路基板２０、キャリアー体３０及びアンテナモジュール４０を備える。前記回路基板２０及び前記キャリアー体３０は、前記ケース体１０の上に設けられる。前記アンテナモジュール４０は、前記キャリアー体３０に装着され、且つ前記回路基板２０に電気接続される。
【００１０】
前記ケース体１０は、略矩形の平板材であり、前記無線通信装置１００のフロントケースであることができる。前記回路基板２０は、前記ケース体１０のサイズよりやや小さい平板材であり、前記ケース体１０の上に重なって設置され、且つ信号フィードイン点（図示せず）及び接地点（図示せず）が設けられている。前記キャリアー体３０は、長方体をカッティングすることにより形成され、階段状の係合面３１、第一キャリアー面３２及び前記第一キャリアー面３２から垂直に折り曲げられて形成される第二キャリアー面３３を備える。
【００１１】
前記アンテナモジュール４０は、回路アンテナ４１、ダイポールアンテナ４２、フィードイン端４３及び接地端４４を備える。前記ダイポールアンテナ４２は、前記回路アンテナ４１により囲まれ、前記フィードイン端４３及び接地端４４は、すべて前記回路アンテナ４１に連接されている。
【００１２】
前記回路アンテナ４１は、開口４１１を有する矩形の筐状体であり、第一輻射段４１２、第二輻射段４１３及び２つの連接段４１４を備える。前記第一輻射段４１２の長さ及び幅は、前記第二輻射段４１３の長さ及び幅に等しく、両者は互いに平行し且つ間隔をあけて設置される。各連接段４１４の幅は、前記第一輻射段４１２及び前記第二輻射段４１３の幅よりやや大きい。各連接段４１４は、それぞれ前記第一輻射段４１２及び前記第二輻射段４１３の末端に垂直に連接されて、矩形の筐状体とする前記回路アンテナ４１を形成する。前記開口４１１は、前記第一輻射段４１２の中間部位に設けられている。
【００１３】
前記ダイポールアンテナ４２は、第一輻射アーム４２１、第二輻射アーム４２２及び２つの連接端４２３を備える。本実施形態において、前記第一輻射アーム４２１と前記第二輻射アーム４２２とは、矩形の帯状体（ｆｌａｋｙ  ｍｏｔｅｒｉａｌ）であり、且つ両者の長さ及び幅はそれぞれ等しい。前記第一輻射アーム４２１及び前記第二輻射アーム４２２は、同一直線上に位置し、両者の間に設けられたスリット４２４により離間され、且つ前記スリット４２４の両側に対称的に設置される。前記２つの連接端４２３は、それぞれ前記第一輻射アーム４２１及び前記第二輻射アーム４２２の一端に位置し、且つ前記スリット４２４に近接して設けられる。
【００１４】
前記ダイポールアンテナ４２は、前記回路アンテナ４１により囲まれ、前記２つの連接端４２３の一端は、前記回路アンテナ４１の第二輻射段４１３に直交して連接する。前記スリット４２４は、前記回路アンテナ４１の開口４１１に連通している。また、前記第一輻射アーム４２１及び前記第二輻射アーム４２２の長さは、前記第一輻射段４１２の１/２より小さく、前記第一輻射アーム４２１及び前記第二輻射アーム４２２の幅は、前記連接段４１４の幅よりやや小さい。このようにして、前記ダイポールアンテナ４２の外側と前記回路アンテナ４１との間には、向き合うように設置される２つの略「コ」字状のスロット４５が形成される。
【００１５】
図３に示したように、本実施形態において、前記回路アンテナ４１の長さは６８ｍｍであり、幅は９．６ｍｍであり、前記第一輻射アーム４２１及び前記第二輻射アーム４２２の長さは、それぞれ２５．３ｍｍであり、幅は４．２ｍｍであり、前記ダイポールアンテナ４２と前記回路アンテナ４１との間に位置する前記スロット４５の幅は０．５ｍｍであり、前記スリット４２４及び前記開口４１１の幅は、すべて１ｍｍである。
【００１６】
前記フィードイン端４３及び前記接地端４４は、細長い矩形の帯状体であり、前記スリット４２４の両側の第一輻射段４１２にそれぞれ直交して連接し、且つそれぞれ前記回路基板２０のフィードイン点及び接地点に接続される。
【００１７】
前記無線通信装置１００を組み立てる場合、まず、前記キャリアー体３０の係合面３１を前記回路基板２０に貼り合わせた状態で前記回路基板２０を前記ケース体１０に装着する。次に、前記アンテナモジュール４０を前記キャリアー体３０に搭載して、前記フィードイン端４３及び前記接地端４４を前記キャリアー体３０の第一キャリアー面３２に貼り合わせ、前記回路アンテナ４１及び前記ダイポールアンテナ４２を前記キャリアー体３０の第二キャリアー面３３に貼り合わせる。最後に、前記フィードイン端４３の末端及び前記接地端４４の末端を、それぞれ前記回路基板２０のフィードイン点及び接地点に接続させる。
【００１８】
図４に示したように、前記無線通信装置１００は、低周波バンド８２４ＭＨｚ〜８９４ＭＨｚ及び高周波バンド１７１０ＭＨｚ〜２１７０ＭＨｚで動作し、多くの通信システムの周波数バンドを包含する。前記アンテナモジュール４０の第一輻射アーム４２１及び第二輻射アーム４２２の長さを調節することにより、前記アンテナモジュール４０の周波数バンドを変更できる。例えば、前記第一輻射アーム４２１の長さを前記第二輻射アーム４２２の長さよりやや大きく調節すると、前記アンテナモジュール４０の高周波バンドの中心周波数は偏移する。
【００１９】
図５に示したように、前記回路アンテナ４１の第一輻射段４１２の長さ及び前記第二輻射段４１３の長さを調節することにより、前記アンテナモジュール４０の低周波バンドの周波数の偏移をコントロールできる。例えば、前記第一輻射段４１２及び前記第二輻射段４１３の長さに２ｍｍをさらに加えると、前記アンテナモジュール４０の低周波バンドの中心周波数は、約８６０ＭＨｚから約８３０ＭＨｚに変更され、前記第一輻射段４１２及び前記第二輻射段４１３の長さに５ｍｍを加えると、前記アンテナモジュール４０の低周波バンドの中心周波数は、約８６０ＭＨｚから約８１０ＭＨｚに変更される。
【００２０】
図６に示したように、前記アンテナモジュール４０を製造する場合、前記ダイポールアンテナ４２の第一輻射アーム４２１と第二輻射アーム４２２との間のスリット４２４の幅を調節することにより、前記アンテナモジュール４０の高周波バンドの周波数の偏移をコントロールできる。例えば、前記スリット４２４の幅に２ｍｍを加えると、前記アンテナモジュール４０の高周波バンドの中心周波数が、約２１７０ＭＨｚから約２１４０ＭＨｚに変更される。前記スリット４２４の幅に４ｍｍを加えると、前記アンテナモジュール４０の高周波バンドの中心周波数が、約２１７０ＭＨｚから約２０９０ＭＨｚに変更される。
【００２１】
本発明に係るアンテナモジュール４０において、前記ダイポールアンテナ４２が回路アンテナ４１内に設けられるため、前記アンテナモジュール４０の全体構造がよくまとめられて、小型化される。しかも、前記回路アンテナ４１と前記ダイポールアンテナ４２との結合により、前記アンテナモジュール４０は、ブローバンドの効果を奏し、多くの通信システムの周波数バンドを包含できる。
【００２２】
また、前記回路アンテナ４１の第一輻射段４１２及び第二輻射段４１３の長さを調節することにより、低周波バンドの周波数の偏移をコントロールできる。また、前記ダイポールアンテナ４２の第一輻射アーム４２１と第二輻射アーム４２２との間のスリット４２４の幅を調節することにより、高周波バンドの周波数の偏移をコントロールできる。従って、本発明に係るアンテナモジュール４０は、異なる通信システムの要求を満たすことができる。
【００２３】
以上、本発明の好適な実施例について詳細に説明したが、本発明は前記実施例に限定されるものではなく、本発明の範囲内で種々の変形又は修正が可能であり、該変形又は修正も、本発明の特許請求の範囲内に含まれるものであることは、いうまでもない。
【符号の説明】
【００２４】
１０        ケース体
２０        回路基板
３０        キャリアー体
３１        係合面
３２        第一キャリアー面
３３        第二キャリアー面
４０        アンテナモジュール
４１        回路アンテナ
４２        ダイポールアンテナ
４３        フィードイン端
４４        接地端
４５        スロット
１００      無線通信装置
４１１      開口
４１２      第一輻射段
４１３      第二輻射段
４１４      連接段
４２１      第一輻射アーム
４２２      第二輻射アーム
４２３      連接端
４２４      スリット
【図１】
2011250396.tif 000003
【図２】
2011250396.tif 000004
【図３】
2011250396.tif 000005
【図４】
2011250396.tif 000006
【図５】
2011250396.tif 000007
【図６】
2011250396.tif 000008